(57)【要約】      （修正有）【課題】水噴射ヘッドの回転によって複数噴射方式のいずれかを選択して使用することが可能な複数噴射方式の水噴射ヘッドを提供する。【解決手段】ハンドル１０に接続された水噴射ヘッドであって、接続部に回転可能に結合された首部３1と、首部３１と共に回転するように結合され、首部の延長線と直交する位置の外周面の両側に開放された第１噴射口及び第２噴射口がそれぞれ設けられ、首部３１の延長線上の外周面に開放された第３噴射口が設けられたヘッドフレーム２０と、第３噴射口に収容される接続部材の挿脱に応じてメイン管の内部で遊動するように取り付けられる開閉部材と、ヘッドフレーム２０および蓋と共にメイン管を基準に回転する膜と、を含んでなり、蓋の第１連通孔と第２連通孔の延長線と直交する両側部分それぞれには、ヘッドフレーム２０の回転によって供給ホールに当接して密着する第１蓋ホールと第２蓋ホールが設けられる。【選択図】図１
2017153926.tif 000002
【特許請求の範囲】
【請求項１】
ハンドルに接続された水噴射ヘッドであって、
水がハンドルの水路から水噴射ヘッドへ供給される接続部に回転可能に結合された首部と；
前記首部と共に回転するように結合され、前記首部の延長線を基準に円形の内部空間が形成され、前記内部空間の中心部で前記首部の延長線と直交する位置の外周面の両側に開放された第１噴射口及び第２噴射口がそれぞれ設けられ、前記首部の延長線上の外周面に開放された第３噴射口が設けられたヘッドフレームと；
一側は前記ハンドルの水路の端部に設けられた接続部に固定結合され、他側は前記内部空間を通過して前記ヘッドフレームの第３噴射口に結合され、前記内部空間の中心に位置する部分に供給ホールが設けられた管状のメイン管と；
前記メイン管の内部に一側が固定された第１弾性部材に結合されて前記メイン管の上側を気密させながら、前記第３噴射口に収容される接続部材の挿脱に応じてメイン管の内部で遊動するように取り付けられる開閉部材と；
内周面が前記メイン管の外周面に密着するように前記メイン管を包囲するメイン管蓋、一側が前記メイン蓋に接続され、他側が前記第１噴射口に接続される管状の第１噴射口蓋、および一側が前記メイン管蓋に接続され、他側が前記第２噴射口に接続される管状の第２噴射口蓋を含み、前記ヘッドフレーム、前記メイン管蓋、前記第１噴射口蓋、前記第２噴射口蓋と共に前記メイン管を基準に回転する蓋と；
前記内部空間の一側面と他側面が分離されて隔離されるように前記蓋と前記ヘッドフレームの内周面とを接続し、前記ヘッドフレームおよび前記蓋と共に前記メイン管を基準に回転する膜と；を含んでなり、
前記第１噴射口蓋と前記メイン管蓋との接続部分には、前記ヘッドフレームの回転によって前記供給ホールに当接して密着する第１連通孔が設けられ、前記第２噴射口蓋と前記メイン管蓋との接続部分には、前記ヘッドフレームの回転によって前記供給ホールに当接して密着する第２連通孔が設けられ、前記蓋の前記第１連通孔と前記第２連通孔の延長線と直交する両側部分それぞれには、前記ヘッドフレームの回転によって前記供給ホールに当接して密着する第１蓋ホールと第２蓋ホールが設けられることを特徴とする、複数噴射方式の水噴射ヘッド。
【請求項２】
前記メイン管に設けられた供給ホールの外周面には、前記ヘッドフレームの回転によって順次当接する前記第１蓋ホール、前記第１連通孔、前記第２蓋ホールおよび前記第２連通孔それぞれと前記供給ホール間の水密が保たれるようにするパッキン突起が備えられることを特徴とする、請求項１に記載の複数噴射方式の水噴射ヘッド。
【請求項３】
前記蓋には、一側が前記ヘッドフレームの第１噴射口および第２噴射口にそれぞれ装着され、他側と前記メイン管との間に所定の離隔空間が形成されて前記第１噴射口蓋および前記第２噴射口蓋の内部にそれぞれ収容されながら、一端が外側方向に噴霧または直射の噴射方式で噴射されるようにノズルが設けられた管状の第１ノズル部材および第２ノズル部材が備えられることを特徴とする、請求項１に記載の複数噴射方式の水噴射ヘッド。
【請求項４】
前記第１ノズル部材及び前記第２ノズル部材の遊隔が調整されるように、一端が前記メイン管の外周面に装着され且つ他端が前記第１ノズル部材および前記第２ノズル部材に固定される第２弾性部材および第３弾性部材が前記離隔空間にそれぞれ備えられることを特徴とする、請求項３に記載の複数噴射方式の水噴射ヘッド。
【請求項５】
前記メイン管は、前記接続部材が前記メイン管の内部に引き込まれて前記供給ホールが密閉されるように、前記接続部材の下端が係止される係止溝が前記メイン管の内周面に設けられることを特徴とする、請求項１に記載の複数噴射方式の水噴射ヘッド。
【請求項６】
前記開閉部材は、前記接続部材の引き込みによって前記メイン管の内部面に沿って下降しながら、前記メイン管の内部に突設された突起によって形状が変形して前記メイン管の上部を開放させることを特徴とする、請求項１に記載の複数噴射方式の水噴射ヘッド。
【発明の詳細な説明】
【技術分野】
【０００１】
本発明は、シャワー器や台所、各種水道管などに使用される水噴射ヘッドに係り、より詳しくは、水噴射ヘッドの回転によって複数の噴射方式のいずれかを選択して使用することが可能な複数噴射方式の水噴射ヘッドに関する。
【背景技術】
【０００２】
一般に、水噴射ヘッドは、シャワー用ヘッドだけでなく、台所の水栓に設置される水噴射ヘッド、水道管などから水が排出されるように取り付けられる各種水噴射ヘッドとして適用されてきた。
最近では、お風呂の文化や居住環境の発達により、シャワーヘッドから水が噴射される様々な噴射方式が求められている。
しかし、従来のシャワーヘッド、特に家庭用シャワーヘッドは、水の噴射方式が１つまたは２つしか適用できない構造を持っている。
さらに、シャワーヘッドに様々な機能を追加する試みがあったが、これは、シャワーヘッドの内部構成をあまりにも複雑化させてその生産単価を増加させ、使用者が手軽く使用できない構造を提供するなど、実質的な実用性の観点から著しい問題点を抱えている。
本発明の背景となる従来の技術が特許文献１などに開示されているが、この従来の技術においても上述した問題点に対する解決策を提示しておらず、水噴射ヘッドの持続的な開発が求められる実情である。
【先行技術文献】
【特許文献】
【０００３】
【特許文献１】韓国特開１０−２０１１−００８５６２８号公報
【発明の概要】
【発明が解決しようとする課題】
【０００４】
そこで、本発明は、上述した問題点を解決するためになされたもので、その目的は、ヘッドフレームの回転のみでそれぞれ異なるノズルを介して水が排出されるように構造化することにより、ヘッドフレームの回転および使用者の駆動に応じて様々な水噴射方式のいずれかを便利に選択して使用することができるようにする、複数噴射方式の水噴射ヘッドを提供することにある。
また、本発明の他の目的は、水噴射ヘッドの使用環境に応じて様々な水噴射ヘッドの噴射方式を容易に追加することができるようにする、複数噴射方式の水噴射ヘッドを提供することにある。
【課題を解決するための手段】
【０００５】
上記目的を達成するために、本発明に係る複数噴射方式の水噴射ヘッドは、ハンドルに接続された水噴射ヘッドであって、水がハンドルの水路から水噴射ヘッドへ供給される接続部に回転可能に結合された首部と、前記首部と共に回転するように結合され、前記首部の延長線を基準に円形の内部空間が形成され、前記内部空間の中心部で前記首部の延長線と直交する位置の外周面の両側に開放された第１噴射口及び第２噴射口がそれぞれ設けられ、前記首部の延長線上の外周面に開放された第３噴射口が設けられたヘッドフレームと、一側は前記ハンドルの水路端部に設けられた接続部に固定結合され、他側は前記内部空間を通過して前記ヘッドフレームの第３噴射口に結合され、前記内部空間の中心に位置する部分に供給ホールが設けられた管状のメイン管と、前記メイン管の内部に一側が固定された第１弾性部材に結合されて前記メイン管の上側を気密させながら、前記第３噴射口に収容される接続部材の挿脱に応じてメイン管の内部で遊動するように取り付けられる開閉部材と、内周面が前記メイン管の外周面に密着するように前記メイン管を包囲するメイン管蓋、一側が前記メイン蓋に接続され、他側が前記第１噴射口に接続される管状の第１噴射口蓋、及び一側が前記メイン管蓋に接続され、他側が前記第２噴射口に接続される管状の第２噴射口蓋を含み、前記ヘッドフレーム、メイン管蓋、第１噴射口蓋、第２噴射口蓋と共に前記メイン管を基準に回転する蓋と、前記内部空間の一側面と他側面が分離されて隔離されるように前記蓋と前記ヘッドフレームの内周面とを接続し、前記ヘッドフレームおよび前記蓋と共に前記メイン管を基準に回転する膜とを含んでなり、前記第１噴射口蓋と前記メイン管蓋との接続部分には、前記ヘッドフレームの回転によって前記供給ホールに当接して密着する第１連通孔が設けられ、前記第２噴射口蓋と前記メイン管蓋との接続部分には、前記ヘッドフレームの回転によって前記供給ホールに当接して密着する第２連通孔が設けられ、前記蓋の前記第１連通孔と前記第２連通孔の延長線と直交する両側部分それぞれに前記ヘッドフレームの回転によって前記供給ホールに当接して密着する第１蓋ホールと第２蓋ホールが設けられることを特徴とする。
【発明の効果】
【０００６】
上述したような本発明によれば、ヘッドフレームの回転に応じて様々な水噴射方式のいずれか一つを便利に選択して使用可能な複数噴射方式の水噴射ヘッドを提供することができるという利点がある。
また、本発明によれば、使用者の駆動に応じて様々な機能を付加することができるように水噴射方式を追加することが可能な複数噴射方式の水噴射ヘッドを提供することができるという利点がある。
【図面の簡単な説明】
【０００７】
【図１】本発明の好適な実施例に係る複数噴射方式の水噴射ヘッドを示す正面図である。
【図２】図１の背面図である。
【図３】図１の左側面図である。
【図４】図１の右側面図である。
【図５】図１の平面図である。
【図６】本発明の好適な実施例に係る複数噴射方式の水噴射ヘッドの結合構成を示す正面図である。
【図７】本発明の好適な実施例に係る複数噴射方式の水噴射ヘッドの蓋を示す正面図である。
【図８】本発明の好適な実施例に係る複数噴射方式の水噴射ヘッドの全体結合構成を示す正面図である。
【図９】図８の左断面図である。
【図１０】本発明の好適な実施例に係る作用状態を示す正面図である。
【図１１】本発明の好適な実施例に係る作用状態を示す正面図である。
【図１２】本発明の好適な実施例に係る開閉部材の作用状態を示す細部断面図である。
【図１３】図１１の背面図である。
【図１４】図１１の左断面図である。
【図１５】本発明に係る接続部材の一実施例を示す斜視図である。
【図１６】本発明の接続部材の一実施例を示す透視図である。
【発明を実施するための形態】
【０００８】
本発明の利点、特徴、およびそれらの達成方法は、添付図面と一緒に詳細に後述されている実施例を参照すると明確になるだろう。
しかし、本発明は、以下で開示される実施例に限定されるものではなく、互いに異なる多様な形態に実現できる。但し、本実施例は、本発明の開示を完全たるものとし、本発明の属する技術分野における通常の知識を有する者に発明の範疇を完全に知らせるために提供されるものである。本発明は請求項の範疇のみによって定義される。明細書全体にわたって、同じ参照符号は同じ構成要素を示し、これについての重複説明は省略する。
以下、本発明の好適な実施例に係る複数噴射方式の水噴射ヘッドを添付図面に基づいてより詳細に説明する。
まず、図１は本発明の好適な実施例に係る複数噴射方式の水噴射ヘッドを示す正面図、図２は図１の背面図、図３は図１の左側面図、図４は図１の右側面図、図５は図１の平面図である。
図６は本発明の好適な実施例に係る複数噴射方式の水噴射ヘッドの結合構成を示す正面図、図７は本発明の好適な実施例に係る複数噴射方式の水噴射ヘッドの蓋を示す正面図、図８は本発明の好適な実施例に係る複数噴射方式の水噴射ヘッドの全体結合構成を示す正面図、図９は図８の左断面図である。
本発明の好適な実施例に係る複数噴射方式の水噴射ヘッドは、ハンドル１０に接続された水噴射ヘッドであって、前記水噴射ヘッドの駆動に応じてそれぞれ異なる水噴射方式の選択を可能にする水噴射ヘッドに関するものである。
ここで、本発明の水噴射ヘッドは、シャワー器のシャワーヘッドだけでなく、台所の流し台などの水栓に取り付けられる水噴射ヘッド、および水路管などから水が排出されるように取り付けられる各種水噴射ヘッドなどに適用でき、後述する実施例に局限されるものではない。
【０００９】
具体的に、本発明の好適な実施例に係る複数噴射方式の水噴射ヘッドは、ハンドル１０に接続された水噴射ヘッドであって、図示の如く、水がハンドル１０の水路１１から水噴射ヘッドへ供給される接続部１２に回転可能に結合された首部３１から、ヘッドフレーム２０、メイン管３０、開閉部材４０、蓋５０及び膜６０が結合された構成である。
具体的に、ヘッドフレーム２０は、図１〜図９に示すように、前記首部３１と共に回転するように結合されるもので、前記首部３１の延長線を基準に環状の内部空間２３が設けられ、前記内部空間２３の中心部で前記首部３１の延長線と直交する位置の外周面両側に開放された第１噴射口２５と第２噴射口２６がそれぞれ設けられ、前記首部３１の延長線上の外周面に開放された第３噴射口２７が設けられる。ここで、前記第１噴射口２５と第２噴射口２６は、水噴射の容易性のために外側に向かって広がる傾斜面が形成できる。
次いで、メイン管３０は、管状であって、一側は前記ハンドル１０の水路１１の端部に設けられた接続部１２に固定結合され、他側は前記内部空間２３を通過して前記ヘッドフレーム１０の第３噴射口２７に結合され、前記内部空間２３の中心に位置する部分には供給ホール３３が設けられる。ここで、前記水路１１を介してメイン管３０に流入する水は前記供給ホール３３と第３噴射口２７から噴出する。
【００１０】
開閉部材４０は、前記メイン管３０の内部に一端が固定された第１弾性部材４１に結合されて前記メイン管３０の上側を気密させるように、前記メイン管３０の内部に取り付けられる。この際、開閉部材４０は、ゴム材質で形成されてもよく、前記水路１１を介して供給される水が前記供給ホール３３のみから噴出できるように供給ホール３３の上側に位置することが好ましい。前記第１弾性部材４１は、本発明においてリングスプリングからなってもよく、メイン管３０の内部で供給ホール３３より下側に一端が固定され、他端が前記開閉部材４０に結合できる。
一方、図１０及び図１１は本発明の好適な実施例に係る作用状態を示す正面図である。
図示の如く、前記開閉部材４０は、前記第３噴射口２７に収容される接続部材１００の挿脱によって前記メイン管３０の内部で遊動できる。
ここで、前記接続部材１００は、外部から前記第３噴射口２７に収容されるもので、前記メイン管３０に流入した水の供給を受けるための管状をすることができる。すなわち、前記接続部材１００が前記第３噴射口２７を介して前記メイン管３０に挿入されると、前記メイン管３０に沿って前記開閉部材４０が遊動して上側へ水路を開放する。
一方、図１２は本発明の好適な実施例に係る開閉部材の作用状態を示す細部断面図、図１３は図１１の背面図、図１４は図１１の左断面図である。図示の如く、前記メイン管３０は、前記接続部材１００が前記メイン管３０の内部に引き込まれて前記供給ホール３３を密閉させることができるように、前記供給ホール３３の下側には前記接続部材１００の下端が係止される係止溝３４が設けられることが好ましい。係止溝３４は、前記接続部材１００が係止されるように前記メイン管３０の内周面に設けられてもよい。これにより、前記接続部材１００が前記メイン管３０の内部に引き込まれて前記供給ホール３３を密閉させることにより、水路１１から供給される水が接続部材１００に流入できる。
また、前記開閉部材４０は、前記接続部材１００の引き込みによって開放されることが好ましい。例えば、前記接続部材１００の引き込みによって前記開閉部材４０が前記メイン管３０の内部面に沿って下降しながら開閉部材４０の挙動が変化するように、前記メイン管３０の内部には所定の長さ突出した突起３６が設けられてもよい。すなわち、前記開閉部材４０は、前記接続部材１００の引き込みによって下方に下降しながら、前記突起３６によって変形してメイン管３０の上方を開放させる。この際、前記突起３６は、前記係止溝３４の直下方に位置するようにして、前記接続部材１００が係止溝３４に係止されるとともに開閉部材４０の挙動が変化するようにすることが好ましい。
前記接続部材１００が前記第３噴射口２７から脱去すると、前記開閉部材４０が前記第１弾性部材４１によって復帰して前記メイン管３０の上側が気密にされる。
この際、前記第３噴射口２７からの異物の流入を遮断することができるように前記第３噴射口２７の上端に結合される栓８０が前記ヘッドフレーム２０に備えられてもよい。
蓋５０は、前記メイン管３０を基準に前記ヘッドフレーム２０と共に回転するものであって、内周面が前記メイン管３０の外周面に密着するように前記メイン管３０を包囲するメイン管蓋５１と、一側が前記メイン管蓋５１に接続され、他側が前記第１噴射口２５に接続される管状の第１噴射口蓋５３と、一側が前記メイン管蓋５１に接続され、他側が前記第２噴射口２６に接続される管状の第２噴射口蓋５５とを含んでなり、これにより、前記ヘッドフレーム２０、メイン管蓋５１、第１噴射口蓋５３、第２噴射口蓋５５と共に前記メイン管３０を基準に回転できる。
膜６０は、前記ヘッドフレーム２０及び前記蓋５０と共に前記メイン管３０を基準に回転するもので、前記内部空間２３の一側面と他側面が分離されて隔離されるように前記蓋５０と前記ヘッドフレーム２０の内周面が接続された構造である。
【００１１】
この際、前記第１噴射口蓋５３とメイン管蓋５１との接続部分には、前記ヘッドフレーム２０の回転によって前記供給ホール３３に当接して密着する第１連通孔５４が設けられ、前記第２噴射口蓋５５とメイン管蓋５１との接続部分には前記ヘッドフレーム２０の回転によって前記供給ホール３３に当接して密着する第２連通孔５６が設けられる。
【００１２】
しかも、前記蓋５０の前記第１連通孔５４と第２連通孔５６との接続線に直交する両側部分それぞれに、前記ヘッドフレーム２０の回転によって前記供給ホール３３に当接して密着する第１蓋ホール５７と第２蓋ホール５８が設けられる。
【００１３】
すなわち、本発明において、前記第１連通孔５４と前記第２連通孔５６はメイン管３０を基準に互いに対称に設けられ、前記第１蓋ホール５７と第２蓋ホール５８はメイン管３０を基準に互いに対称に設けられた構造を持ってもよい。
【００１４】
これにより、前記ヘッドフレーム２０の回転によって前記供給ホール３３が前記第１蓋ホール５７に当接して密着する場合、前記メイン管３０に流入した水が前記供給ホール３３を介して前記第１蓋ホール５７から排出される。そして、さらに前記ヘッドフレーム２０が回転して前記供給ホール３３が前記第１連通孔５４に当接して密着する場合、前記メイン管３０に流入した水が前記供給ホール３３を介して第１連通孔５４から排出される。このように前記ヘッドフレーム２０の回転によって、順次第２蓋ホール５８及び前記第２連通孔５６から、上記と同様の原理によって前記メイン管３０に流入した水が排出できる。
【００１５】
一方、本発明の好適な実施例に係る各構成の継ぎ目は水が漏れないようにパッキンで水密にすることが好ましい。
【００１６】
本発明において、前記メイン管３０に設けられた供給ホール３３の外周面には、前記ヘッドフレーム２０の回転によって順次当接する前記第１蓋ホール５７、第１連通孔５４、第２蓋ホール５８および第２連通孔５６それぞれと前記供給ホール３３間の水密が保たれるようにするパッキン突起３５が設けられることが好ましい。
【００１７】
上述した構成により、本発明に係る複数噴射方式の水噴射ヘッドは、前記ヘッドフレーム２０が前記首部３１による回転によって第１連通孔５４、第２連通孔５６、第１蓋ホール５７または第２蓋ホール５８を介して、前記供給ホール３３からの供給水が外部へ噴出できる。
【００１８】
すなわち、使用者は、首部３１の回転によって前方、後方、左側または右側を介して水が噴射されるように調節できる。
【００１９】
詳しくは、前記ヘッドフレーム２０の後方と前方にそれぞれ結合された第１噴射面１５と第２噴射面１７が構成でき、前記第１噴射面１５と第２噴射面１７はそれぞれ異なる噴射方式を有することが好ましい。この際、第１噴射面１５と第２噴射面１７は、互いに異なる直径の孔がそれぞれの表面上に配列されるようにして、ヘッドフレーム２０の前方および後方にそれぞれ異なる噴射方式が実現できる。
一方、前記蓋６０の第１噴射口蓋６３と第２噴射口蓋６５の各内部には第１ノズル部材７１と第２ノズル部材７２が備えられてもよく、第１ノズル部材７１と第２ノズル部材７２は、前記メイン管３０を基準に互いに対称となるように第１噴射口蓋５３と第２噴射口蓋５５にそれぞれ収容される。具体的に、第１ノズル部材７１および第２ノズル部材７２は、管状であって、一側が前記ヘッドフレーム２０の第１噴射口２５および第２噴射口２６にそれぞれ装着され、他側と前記メイン管３０との間に所定の離隔空間が形成されることにより、前記第１噴射口蓋５３および第２噴射口蓋５５の内部にそれぞれ収容できる。
この際、第１ノズル部材７１および第２ノズル部材７２は、一端が外側方向に噴霧または直射の噴射方式で噴射されるように、ノズルがそれぞれ設けられることが好ましい。
これにより、前記ヘッドフレーム２０の両側面および前・後方が互いに異なる水噴射方式が実現でき、使用者がヘッドフレーム２０の回転によってそれぞれ異なる噴射方式を選択することができる。
ここで、前記第１ノズル部材７１及び第２ノズル部材７２は、それぞれ一側が第１噴射口２５および第２噴射口２６にそれぞれ装着され、他側と前記メイン管３０との間に所定離隔空間が形成される。
【００２０】
ここで、離隔空間は、供給ホール３３から供給される水が離隔空間を介して狭小なノズルを通過しながら水圧が上昇して流速が速くなる効果を持つことができる。
この際、前記各離隔空間には、前記第１ノズル部材７１と前記第２ノズル部材７２との遊隔が調整されるように一端が前記メイン管３０の外周面に装着されながら他端が前記第１ノズル部材７１及び第２ノズル部材７２に固定される第２弾性部材７３及び第３弾性部材７４がそれぞれ設けられることが好ましい。
【００２１】
ここで、前記第２弾性部材７３および第３弾性部材７４は輪ばねからなってもよい。
【００２２】
一方、図１５は本発明に係る接続部材の一実施例を示す斜視図、図１６は本発明の接続部材の一実施例を示す透視図である。
【００２３】
図示の如く、前記接続部材１００は、上述した本発明の水噴射ヘッド１に接続されるもので、一端には前記メイン管３０から供給される水を用いることが可能なブラシ装置２００が接続できる。
ここで、前記ブラシ装置２００は、本発明をより具体的に説明するための一実施例であって、これに局限されず、その他、様々に水噴射ヘッド１から接続部材１００を介して供給される水を使用することが可能な他の実施例にも適用できる。
本発明において、前記ブラシ装置２００は、前記水噴射ヘッド１から接続部材１００へ供給される水の水圧によって回動できるように、羽根を有する第１駆動プーリー２１１と、前記第１駆動プーリー２１１によって連動できる第２駆動プーリー２１２とが互いに接続されたプーリーセット２１０を備えてもよく、さらに、前記第２駆動プーリー２１２に一端が接続され且つ他端にブラシが設けられたブラシ部材２２０を備えることにより、第２駆動プーリー２１２の回転に応じて一方向に回転する構造を持つことができる。すなわち、ブラシ装置２００は、水の水圧によってブラシが回転するように備えられるもので、当業者によって容易に実現できるので、詳細な説明は省略する。
上述したように、本発明に係る複数噴射方式の水噴射ヘッドの具体的な実施例を詳細に説明したが、本発明の思想を理解する当業者は、同じ思想の範囲内で他の構成要素を追加、変更または削除することにより、退歩的な他の発明や本発明の思想の範囲内に含まれる他の実施例を容易に提案することができるであろう。よって、上述した実施例はあらゆる面で例示的なものに過ぎず、限定的なものではないと理解すべきである。本発明の範囲は前述の詳細な説明よりは後述の特許請求の範囲によって定められるもので、特許請求の範囲の意味および範囲、そしてその均等概念から導出されるすべての変更または変形形態も本発明の範囲に含まれると解釈すべきである。
【符号の説明】
【００２４】
１０    ハンドル
１１    水路
１２    接続部
１５    第１噴射面
１７    第２噴射面
２０    ヘッドフレーム
２３    内部空間
２５    第１噴射口
２６    第２噴射口
２７    第３噴射口
３０    メイン管
３１    首部
３３    供給ホール
３４    係止溝
３５    パッキン突起
３６    突起
４０    開閉部材
４１    第１弾性部材
５０    蓋
５１    メイン管蓋
５３    第１噴射口蓋
５４    第１連通孔
５５    第２噴射口蓋
５６    第２連通孔
５７    第１蓋ホール
５８    第２蓋ホール
６０    膜
７１    第１ノズル部材
７２    第２ノズル部材
７３    第２弾性部材
７４    第３弾性部材
８０    栓
１００    接続部材
２００    ブラシ装置  
【図１】
2017153926.tif 000003
【図２】
2017153926.tif 000004
【図３】
2017153926.tif 000005
【図４】
2017153926.tif 000006
【図５】
2017153926.tif 000007
【図６】
2017153926.tif 000008
【図７】
2017153926.tif 000009
【図８】
2017153926.tif 000010
【図９】
2017153926.tif 000011
【図１０】
2017153926.tif 000012
【図１１】
2017153926.tif 000013
【図１２】
2017153926.tif 000014
【図１３】
2017153926.tif 000015
【図１４】
2017153926.tif 000016
【図１５】
2017153926.tif 000017
【図１６】
2017153926.tif 000018